(57)【要約】【課題】  緑化システムを設置しようとするスペースに容易に合わせることができ、設置が容易な人工地盤上での緑化方法と、緑化構造物を提供する。【解決手段】  人工地盤１上に保水用凹部１２を有する保水排水基盤材１０を緑化しようとするスペースに合わせて連結し、連結された外周部に位置する保水排水基盤材の外周辺に沿って上方に突出する見切り材２０，２０Ａを、その底面の一部が人工地盤上に対接し、他部が保水排水基盤上に位置するように固定して保水排水基盤材の外周を囲み、保水排水基盤材と見切り材により画成された空間内で植物を植栽する。【選択図】  図１６
2006094826.tif 000002
【特許請求の範囲】
【請求項１】
人工地盤上に保水用凹部を有する保水排水基盤材と、該保水排水基盤材の外周を囲む見切り材とを用いて植物を植栽する緑化方法であって、
保水排水基盤材を緑化しようとするスペースに合わせて連結し、
連結された外周部に位置する保水排水基盤材の外周辺に沿って上方に突出する見切り材を、その底面の一部が人工地盤上に対接し、他部が保水排水基盤上に位置するように固定して該保水排水基盤材の外周を囲み、
保水排水基盤材と見切り材により画成された空間内で植物を植栽することを特徴とする人工地盤上での緑化方法。
【請求項２】
前記見切り材を連結するとき、外周部に位置する保水排水基盤材を、前記スペースに合わせて外周辺に沿って平行に切断することを特徴とする請求項１に記載の人工地盤上での緑化方法。
【請求項３】
前記見切り材は、前記他部の下面に係合突部が形成され、該係合突部は、前記保水排水基盤材の保水用凹部に嵌合することによって固定されることを特徴とする請求項１または２に記載の人工地盤上での緑化方法。
【請求項４】
前記見切り材の上部に嵩上げ材を連結し、見切り材および嵩上げ材は、互いに連通する上下方向に貫通する孔を有しており、該貫通孔に上下方向に貫通する連結具を挿入して結合することを特徴とする請求項１〜３のいずれかに記載の人工地盤上での緑化方法。
【請求項５】
人工地盤上に連結配置され上面に保水用凹部を有する多数の保水排水基盤材と、該保水排水基盤材のうち外周部に位置する保水排水基盤材の外周辺に沿って上方に突出するように立ち上げられ、その底面の一部が人工地盤上に対接し、他部が保水排水基盤上に位置するように固定され保水排水基盤材の外周を囲む見切り材とを備え、
前記保水排水基盤材と見切り材により画成された空間内で植物を植栽することを特徴とする緑化構造物。
【請求項６】
前記見切り材は、保水排水基盤上に位置する底面の他部に係合突部が形成され、該係合突部が保水排水基盤材上の保水用凹部に嵌合して固定されることを特徴とする請求項５に記載の緑化構造物。
【請求項７】
前記見切り材は上部に連結部を備えており、該連結部を用いて見切り材の上部に嵩上げ材を連結することを特徴とする請求項５または６に記載の緑化構造物。
【請求項８】
前記見切り材は、上方向に開口する連結孔を備え、前記嵩上げ材は前記連結孔と連通する貫通孔を備え、連結孔と貫通孔とに連続して連結具を挿入することで、見切り材と嵩上げ材とを結合することを特徴とする請求項７に記載の緑化構造物。
【請求項９】
前記保水排水基盤材、見切り材および嵩上げ材は、発泡樹脂材で形成されることを特徴とする請求項７または８に記載の緑化構造物。
【請求項１０】
連結された保水排水基盤材および見切り材で画成された空間の中間部に、嵩上げ材を、その下面に形成された係合突部を前記保水用凹部に嵌合させて固定し、画成された空間を分割することを特徴とする請求項５〜９のいずれかに記載の緑化構造物。
【請求項１１】
人工地盤上に植栽する緑化方法で使用する保水排水基盤材と、該保水排水基盤材の外周に連結される見切り材との結合構造であって、
前記保水排水基盤材は、下方に人工地盤の表面に対接する対接突部が形成されると共に、上方に保水用凹部と、この保水用凹部内に所定のピッチで連続して突設された突起部とが形成され、
前記見切り材は、前記表面に対接する設置面と、保水排水基盤材の上方に位置する係合面とを備えており、該係合面には前記突起部同士の間に嵌合する係合突部が下方に向けて突設されていることを特徴とする保水排水基盤材と見切り材との結合構造。
【発明の詳細な説明】
【技術分野】
【０００１】
本発明は、例えば、工場や一般住宅の屋根の上、あるいはテラス等の人工地盤上に植生用の保水排水基盤材を配置し、それを利用して人工地盤上を緑化する方法と、緑化された緑化構造物、およびそれに使用する保水排水基盤材と見切り材との結合構造に関する。
【背景技術】
【０００２】
近年、都市緑化の一環として、あるいはヒートアイランド現象の対策として、工場や一般住宅の屋根の上、あるいはテラス等のように、自然の土壌面でなく、表面が土壌でない人工的に作られた平面（本発明では人工地盤という）の上に客土を敷き、そこで植物を栽培することが行われている。人工地盤は植物の生育に必要な保水性と排水性とを同時に確保するのが困難であり、その上の客土を植生に適した状態で維持管理することは容易ではない。
【０００３】
従来、建築物の屋上、バルコニー、アトリウム等の人工地盤上での植栽に使用される客土保持装置として、特許文献１（特開平８−８０１２６号公報）に記載の植栽用客土保持装置がある。この植栽用客土保持装置は、プラスチック製の中空ブロックを縦・横方向に接続固定しながら所定の形状に積み上げて壁部を形成し、この壁部で囲まれる内側底部に保水・排水用の導水手段を設け、この導水手段の上部に透水シートを敷設している。そして、プラスチック製の中空ブロックは、据付面に固定されるベースブロックと、ベースブロック上に積み重ねられる壁形成用ブロックとからなり、ベースブロック及び壁形成用ブロックには、ベースブロックと壁形成用ブロック及び壁形成用ブロック同士を接続する嵌合手段として、凸部と凹部が設けられている。
【０００４】
また、特許文献２（特開２００２−３６００７３号公報）に記載の植物栽培用構造体は、多孔質性材料を用いて保水性を有する如く構成され、植物栽培予定地に敷設される植物栽培用基本構造体と、当該植物栽培用基本構造体と同様に多孔質性材料を用いて保水性を有する如く構成され、当該植物栽培用基本構造体の植物栽培面より突出する如く当該植物栽培用基本構造体に取付けられる突出部材（植物栽培用外囲ブロック）とから成るものである。
【０００５】
さらに、特許文献３（特開２００４−２４０５３号公報）に記載のシステム庭園の形成方法は、屋上庭園や花壇などに用いられる、樹脂発泡体を素材とする側面断面視において略Ｌ形状を有するブロック体にて形成され、このブロック体の底板部の先端上面に沿った箇所又はその近傍箇所に突条、凹条、突起、傾斜面のいずれかよりなる係止部を有し、このブロック体の底面に排水溝を有してなる見切り材と、この見切り材の側面どうしを連結して形成した土止め枠内に、側縁に見切り材の係止部に対応する被係止部を有し、上面に複数の保水穴及び／又は排水用小孔を有してなる樹脂発泡体を素材とするプレートとを組み合わせ、隣合う見切り材どうしを細幅の金属板を半分づつ突き刺すことにより所望の形状及び大きさ並びに高さの花壇枠となるように連結し、この花壇枠内に保水プレートを敷設し、この保水プレート上に土壌を入れて使用するものである。
【０００６】
【特許文献１】特開平８−８０１２６号公報
【特許文献２】特開２００２−３６００７３号公報
【特許文献３】特開２００４−２４０５３号公報
【発明の開示】
【発明が解決しようとする課題】
【０００７】
ところで、緑化しようとする屋上等のスペースは、その形状が多種多様であり、その中で最大限のスペースを有効に利用し緑化したいが、前記特許文献３に記載の見切り材、保水プレート、これらを使用したシステム庭園（花壇）を使用すると、保水プレートおよび見切り材が固定された寸法内でしか使用することができず、任意な部分でカットして使用すると両者を嵌合させる部分は失われて結合することができない。
【０００８】
また、特許文献１に記載の中空ブロックは凸部と凹部からなる嵌合手段により連結されるが、連結の方向が、土壌の充填による土圧を受ける方向と一致するため、嵌合部分が抜けやすいという問題点がある。嵌合部分の抜け止めのためボルト等で固定すると、中空ブロックは比較的薄いプラスチックであるため土圧により撓んでしまうという問題点もあった。さらに、特許文献２の連結後に植物栽培用外囲ブロック上に、例えば人が乗ると、下側のベースブロックが潰れて変形するという問題点もあった。
【０００９】
本発明は、このような問題に鑑みてなされたものであって、その目的とするところは、緑化システムを設置しようとするスペースの大きさ、形状等に容易に合わせることができ、設置が容易な人工地盤上での緑化方法を提供することにある。また、ベースとなる保水排水基盤材と見切り材との固定状態が強固で、設置後に見切り材上に人が乗っても保水排水基盤材が潰れて連結の外れる虞の少ない人工地盤上での緑化方法及び緑化構造物を提供することにある。
【課題を解決するための手段】
【００１０】
前記目的を達成すべく、本発明に係る人工地盤上での緑化方法は、人工地盤上に保水用凹部を有する保水排水基盤材と、該保水排水基盤材の外周を囲む見切り材とを用いて植物を植栽する緑化方法であって、保水排水基盤材を緑化しようとするスペースに合わせて連結し、連結された外周部に位置する保水排水基盤材の外周辺に沿って上方に突出する見切り材を、その底面の一部が人工地盤上に対接し、他部が保水排水基盤上に位置するように固定して該保水排水基盤材の外周を囲み、保水排水基盤材と見切り材により画成された空間内で植物を植栽することを特徴としている。
【００１１】
前記のごとく構成された本発明の人工地盤上での緑化方法は、植物を植栽しようとするスペースに合わせて保水排水基盤材を水平方向に連結し、外周部に位置する保水排水基盤材の外周辺に沿って上方に突出する見切り材を、その底面の一部が人工地盤上に対接し、他部が保水排水基盤上に位置するように固定されて一体化し、見切り材は保水排水基盤材に対して片乗り構造となって囲んでいるため、見切り材上に人が乗っても見切り材が変形しにくく、見切り材が外れることが防止される。
【００１２】
また、見切り材を連結するとき、外周部に位置する保水排水基盤材を、前記スペースに合わせて外周辺に沿って平行に切断することが好ましい。このように構成すると、植物を植栽しようとするスペースに合わせて保水排水基盤材を連結し、スペース内に納まるように保水排水基盤材を縦横方向に切断し、切断した保水排水基盤材の外周辺に沿わせて見切り材を固定することで、保水排水基盤材の外周を見切り材で囲った緑化構造物のベースとなる部分を形成することができ、このベース部分により画成された空間内で植物を植栽することができる。
【００１３】
また、本発明に係る人工地盤上での緑化方法の好ましい具体的な態様としては、前記見切り材は、前記他部の下面に係合突部が形成され、該係合突部は、保水排水基盤材の保水用凹部に嵌合することによって固定されることを特徴としている。保水用凹部に直接嵌合してもよく、保水用凹部から突設した突起部同士の間に嵌合してもよい。この構成によれば、人工地盤上に載置された保水排水基盤材の保水用凹部に、見切り材の底面他部の下面に形成された係合突部を嵌合させるだけで、両者を容易に連結して固定することができ、固定状態が安定すると共に施工時間を短縮することができる。
【００１４】
さらに、本発明に係る人工地盤上での緑化方法の好ましい具体的な他の態様としては、前記見切り材の上部に嵩上げ材を連結し、見切り材および嵩上げ材は、互いに連通する上下方向に貫通する孔を有しており、該貫通孔に上下方向に貫通する連結具を挿入して結合することを特徴としている。この構成によれば、見切り材の上部に嵩上げ材が連結されているが、上下方向に連通する貫通孔を通して、例えば軸状の連結具を挿入することで結合状態をより強固にすることができ、人が踏んで見切り材に大きな荷重が作用した場合でも、結合状態が外れることを防止できる。
【００１５】
また、本発明に係る緑化構造物は、人工地盤上に連結配置され上面に保水用凹部を有する多数の保水排水基盤材と、該保水排水基盤材のうち外周部に位置する保水排水基盤材の外周辺に沿って上方に突出するように立ち上げられ、その底面の一部が人工地盤上に対接し、他部が保水排水基盤上に位置するように固定された見切り材とを備え、保水排水基盤材と見切り材により画成された空間内で植物を植栽することを特徴としている。
【００１６】
前記のように構成された緑化構造物は、人工地盤上に載置されて連結された保水排水基盤材の外周部に沿って見切り材を突出状態に立ち上げ、この見切り材は底面の一部が人工地盤上に対接し、底面の他部は保水排水基盤材上に位置して固定されるため、固定状態が安定して予期しない力が作用しても離脱することがない。また、緑化される部分が見切り材で外周を囲まれるため、植物等が外側にはみ出ることが防止されて輪郭が整然として見栄えが向上する。
【００１７】
本発明に係る緑化構造物の好ましい具体的な態様としては、前記見切り材は、保水排水基盤上に位置する底面の他部に係合突部が形成され、該係合突部が保水排水基盤材上の保水用凹部に嵌合して固定されることを特徴とする。この構成によれば、見切り材が保水排水基盤材の保水用凹部に嵌合して固定され、固定状態が安定して離脱が防止される。また、固定作業が容易で施工時間を短縮できる。
【００１８】
また、前記見切り材は上部に連結部を備えており、該連結部を用いて見切り材の上部に嵩上げ材を連結することが好ましく、見切り材は、上下方向に貫通する連結孔を備え、前記嵩上げ材は前記連結孔と連通する貫通孔を備え、連結孔と貫通孔とに連続して連結具を挿入することで、見切り材と嵩上げ材とを結合すると好適である。このように構成すると、緑化構造物の土壌の量を容易に増やすことができ、大きな樹木等の植物を容易に植栽することができる。そして、嵩上げ材と見切り材との結合状態を、連結具を挿入して強固にすることができる。
【００１９】
保水排水基盤材、見切り材および嵩上げ材は、発泡樹脂材で形成されることが好ましく、特に発泡ポリスチレン樹脂が好適である。この構成によれば、軽量な保水排水基盤材、見切り材および嵩上げ材を用いて、強度に優れ、施工が容易な緑化構造物を作製することができる。
【００２０】
さらに、前記の緑化構造物において、連結された保水排水基盤材および見切り材で画成された空間の中間部に、嵩上げ材を、その下面に形成された係合突部を前記保水用凹部に嵌合させて固定し、画成された空間を分割することができる。このように構成すると、分割された空間ごとに例えば異なる植物を植え付けることができ、趣向の異なる緑化構造物を作製できる。
【００２１】
本発明に係る保水排水基盤材と見切り材との結合構造は、人工地盤上に植栽する緑化方法で使用する保水排水基盤材と、該保水排水基盤材の外周に連結される見切り材との結合構造であって、保水排水基盤材は、下方に人工地盤の表面に対接する対接突部が形成されると共に、上方に保水用凹部と、この保水用凹部内に所定のピッチで連続して突設された突起部とが形成され、見切り材は、前記表面に対接する設置面と、保水排水基盤材の上方に位置する係合面とを備えており、該係合面には前記突起部同士の間に嵌合する連結突部が下方に向けて突設されていることを特徴とする。
【００２２】
前記のように構成された保水排水基盤材と見切り材との結合構造は、人工地盤上での緑化を、簡単な施工で達成できるため、施工時間を短縮できる。また、保水排水基盤材と見切り材との固定状態が安定しており、外力が加わっても離脱することを防止できる。さらに、外周が見切り材で囲まれており、植物の根がはみ出ることが防止され、緑化構造物の見栄えを向上できる。
【発明の効果】
【００２３】
本発明によれば、人工地盤上での緑化構造物において、多数の保水排水基盤材を連結し、連結された保水排水基盤材の外周辺に沿って上方に突出する見切り材を固定して、保水排水基盤材の外周を囲んでいるため、外周部に植え付けられた植物が周囲に広がることがなく、輪郭部を整然と区切ることができる。また、見切り材は保水排水基盤材上と人工地盤上の両方に対接して固定されるため、見切り材の上に人が乗ってもずれることがなく、変形して外れることも防止できる。
【００２４】
本発明の緑化構造物は、見切り材の上部に嵩上げ材を連結し、画成された内部空間の容積を増やして大きい樹木等の植物を安定して植生することができる。画成された空間の嵩上げ材で分割することで、異なる種類の植物等を植え付けることができるので、趣向の異なる緑化構造物を作製することができる。
【発明を実施するための最良の形態】
【００２５】
以下、本発明に係る人工地盤上での緑化方法の一実施形態を図面に基づき詳細に説明する。図１は、本実施形態に係る緑化方法で使用する保水排水基盤材の平面図、右側面図、正面図Ａ−Ａ線、Ｂ−Ｂ線、Ｃ−Ｃ線に沿う断面図、図２は、図１の保水排水基盤材の背面図、図３は、保水排水基盤材の上方および下方から見た斜視図、図４は見切り材の上方および下方から見た斜視図、図５は見切り材の平面図、右側面図、正面図、Ｄ−Ｄ線断面図、図６は保水排水基盤材と見切り材との嵌合状態を示す斜視図、図７はコーナー型見切り材の上方および下方から見た斜視図、図８はコーナー型見切り材の平面図、右側面図、正面図、Ｅ−Ｅ線断面図、図９は嵩上げ材の上方および下方から見た斜視図、図１０は嵩上げ材の正面図、Ｆ−Ｆ線断面図である。
【００２６】
先ず、本実施形態で使用する保水排水基盤材について、図１〜３に基づいて詳細に説明する。保水排水基盤材１０は全体が発泡樹脂材で形成され、例えば発泡ポリスチレンの一体成形品である。保水排水基盤材１０は、平面視で正方形状をしており、１辺の有効長さＬが例えば３０ｃｍ程度、あるいは５０ｃｍ程度の正方形で形成されている。ここでいう有効長さとは、保水排水基盤材１０を水平方向に順次並べて連結したときに、連結部分等の突出部を除いて増やすことができる実質的な長さＬのことをいう。
【００２７】
保水排水基盤材１０はベースとなる正方形の板材の上方に外周を囲む外周壁部１１が形成されており、その内部が保水用凹部１２となっている。保水用凹部１２内には円柱状の突起部１３が所定のピッチで縦横に配列されている。本実施形態では突起部１３は外周壁部１１に接するものを含めて６４個形成され、外周壁部１１と突起部１３とは同じ高さに設定されている。この構成により、保水排水基盤材１０の上面に後述する透水性シートを載置したとき、この透水性シートが平坦となるように形成されている。保水排水基盤材１０は保水用凹部１２内に所定量の水を確保できると共に、外周壁部１１以上の給水があると溢れ出て排水する機能を有しており、この実施形態で植栽される植物に水を供給するものである。
【００２８】
保水用凹部１２内に配列された円柱状の突起部１３は、保水排水基盤材１０の１辺の有効長さをＬとすると、Ｌ／８のピッチＰ１で縦横に配列されており、外周辺と外側に位置する突起部との間隔はＰ１／２（＝Ｌ／１６）に設定されている。すなわち、Ｌを３０ｃｍとすると、外周辺と外側に位置する突起部との間隔は１８．７５ｍｍに設定され、突起部同士の縦横のピッチＰが３７．５ｍｍに設定されている。円柱状の突起部は上端の直径が２２ｍｍ程度で、下端の直径が２４ｍｍ程度の抜き勾配が付けられた略円柱状をしている。外周に位置する突起部１３は外周壁部１１と一体化した状態で接続している。したがって、保水用凹部１２に貯留される実質的な保水量は、保水用凹部１２の容積から突起部１３の体積を引いた値となる。
【００２９】
このように、外周壁部１１で囲まれた内部に多数の円柱状の突起部１３が突出して配列され、突起部の周囲の窪みが保水用凹部１２となっている。保水用凹部１２の底面には中央部に向けて僅かな勾配が付けられ、中心の大きい半径の中央凹部１４が最下面となっている。また、保水用凹部１２には、中央凹部１４に向かって横方向と、縦方向に４つの丘状部１２ａが形成されている。保水用凹部１２の外周の深さは１０〜１２ｍｍ程度であり、中央凹部１４の深さは１８〜２０ｍｍ程度に設定されている。中央凹部１４には多孔質セラミック製の導水用材１５が配置される。導水用材１５の高さは突起部１３の高さと略同じ高さとなることが好ましい。４つの丘状部１２ａは、保水排水基盤材１０の曲げ強度向上に効果がある。
【００３０】
保水排水基盤材１０の下面には、これを載置する人工地盤１等の載置面（表面）と対接する対接突部１６が突設されている。この対接突部は底面視で正方形の形状をしており、縦横で同じピッチで突設されている。この対接突部１６により、保水排水基盤材１０は人工地盤１上に載置されたときに隙間が形成され、保水用凹部１２から溢れた水、雨水、散水が人工地盤の水勾配に沿って排水できるように構成されている。
【００３１】
保水排水基盤材１０の外周には連結部１７が形成されている。連結部はアリ突部１７ａと、アリ溝部１７ｂが交互に形成され、隣接して載置される保水排水基盤材１０のアリ溝部とアリ突部が相互に嵌合可能な形状となっている。図１において、上方と右方のアリ突部およびアリ溝部はベースとなる正方形部分から突出しており、下方と左方のアリ突部およびアリ溝部は正方形部分の下面側に形成されている。
【００３２】
つぎに、前記の保水排水基盤材１０に、一部が載置された状態で連結固定される見切り材２０について、図４〜６を参照して説明する。見切り材２０は、縦横に連結された多数の保水排水基盤材１０の外周辺に沿って固定され保水排水基盤材の外周を囲み、画成された空間内で植物を植栽するものである。すなわち、保水排水基盤材の上に載置、投入される土壌の外部への流出を防止する機能と、植え付けられた植物の根が外部へ延出するのを防止する機能を有し、保水排水基盤材１０と同様に発泡ポリスチレン等の発泡樹脂材から形成されている。
【００３３】
見切り材２０は底面のおよそ半分（底面の一部）が設置される人工地盤１の表面に対接する設置面２１となっており、残りの半分（底面の他部）は保水排水基盤材１０の上部に位置し、設置面２１より上方に位置する係合面２２となっている。見切り材２０は平面視において、長手方向に直角な両端面２０ａ，２０ａ間の縦寸法はＬに設定され、横寸法はＬ／２に設定されている。見切り材２０の上部には８個の円形穴の連結凹部２３が陥没して形成されている。この連結凹部２３は、Ｌ／４のピッチＰ２で形成され、外周辺からの距離はＰ２／２（＝Ｌ／８）に設定されている。連結凹部２３の直径は３０ｍｍ程度に設定されている。
【００３４】
この係合面２２の下面には保水排水基盤材１０の保水用凹部１２に嵌合する円柱状の係合突部２４が形成されている。この係合突部２４は係合面２２の下側に４個形成され、そのピッチＰ２は前記のＬ／４に設定され、外周辺からの距離はＰ２／２（＝Ｌ／８）に設定されている。また、係合面２２と設置面２１とをつなぐ垂直面２５から係合突部２４までの距離はＰ２／２（＝Ｌ／８）に設定されている。係合突部２４の直径は３０ｍｍ程度に設定されている。したがって、保水排水基盤材１０の外周が垂直面２５に対接する状態で、１つの係合突部２４は図１０、図１３ｃに示されるように、保水用凹部１２内の４つの突起部１３の間に圧入状態で嵌合し、保持される構成となっている。見切り材２０には下方に開口する２つの円柱状の肉盗み穴が形成されている。
【００３５】
見切り材２０の上面に形成された連結凹部２３の軸心を通るように連結孔２６が形成されており、この連結孔は見切り材２０を上下方向に貫通している。この結果、連結孔２６は係合面２２に形成された係合突部２４の軸心を貫通して下方に開口する。見切り材２０の係合面２２側の外周垂直面は傾斜面で連続する凹面２７となっており、保水排水基盤材１０の上部に透水性シート３を敷いたときにこの凹面２７内に入り込むように構成されている。見切り材２０の設置面２１には、２つの排水溝部２８が形成されている。この見切り材２０は自由に切断することができ、長手方向に直角に連結凹部２３，２３の中間で切断することが好ましい。
【００３６】
前記した見切り材２０と略同形状のコーナー型見切り材２０Ａは、保水排水基盤材１０のコーナー部に対応して連結固定されるものであり、図７，８に示されるように底面の設置面２１がＬ字状に直角に形成されており、凹面２７ａは長手方向に略半分程度形成されて残りの半分は平坦面２０ｂとなっている。そして、この平坦面２０ｂに他の見切り材２０の端面２０ａが接合することで、見切り材２０とコーナー型見切り材２０Ａとが保水排水基盤材１０のコーナー部から隙間の無い状態で立ち上げられるように構成される。コーナー型見切り材２０Ａも、発泡ポリスチレン等の発泡樹脂材から形成され、底面の一部である設置面２１が人工地盤１に対接し、底面の残りの部分は保水排水基盤材１０の上に載置される係合面２２であり、３つの係合突部２４が保水用凹部１２内の４つの突起部１３の間に嵌合して固定される形状となっている。コーナー型見切り材２０Ａにも、２つの円柱状の肉盗み穴が形成されている。
【００３７】
つぎに、見切り材２０，２０Ａの上部に連結される嵩上げ材３０について、図９，１０を参照して説明する。嵩上げ材３０は全体が発泡樹脂材で形成され、例えば発泡ポリスチレンの一体成形品である。嵩上げ材３０は、１つの機能として、見切り材２０の上部に必要な数だけ連結して保水排水基盤材１０の外周辺からの立ち上がり量を増やして、画成される空間の容積を増やし、例えば後工程で投入される土壌の量を増やして、大きい植物を植栽することができるものである。また、もう１つの機能として、連結された保水排水基盤材１０，１０…の中間部の上部に連結して画成された空間を分割して仕切り材としての機能をさせることができるものである。嵩上げ材３０にも下方開口の２つの肉盗み穴が形成されている。
【００３８】
嵩上げ材３０は平面視で長手方向の寸法がＬに設定され、幅はＬ／２に設定されている。嵩上げ材３０の上面には見切り材２０，２０Ａと同様な連結凹部３１が８個所に形成され、ピッチＰ２はＬ／４で、外周辺からの距離Ｐ２／２（＝Ｌ／８）は連結凹部２３と同様に設定されており、見切り材２０，２０Ａの上部に必要な数だけ積み重ねることができる形状となっている。下面には見切り材２０，２０Ａの連結凹部２３に嵌合する円柱状の連結凸部３２が８個形成されている。連結凸部３２は連結凹部２３と同じピッチで突出形成され、外径は連結凹部２３の内径より僅かに大きく設定され、嵌合時には圧入状態となる。
【００３９】
前記の如く構成された本実施形態の保水排水基盤材１０，１０…と、見切り材２０，２０Ａとを用いた緑化構造物の組立て動作について、図１１〜１６を参照して以下に説明する。なお、保水排水基盤材１０、見切り材２０、コーナー型見切り材２０Ａ、および嵩上げ材３０は１つのみを詳細に図示し、残りは省略している。屋上やバルコニー等の人工地盤１上の緑化しようとするスペース上に、先ず、図１６に示すように根留めシート２を敷設する。この根留めシート２は、例えばポリエチレンフィルムと発泡ポリエチレンシートをラミネートしたものを使用し、後工程で土壌に植栽される植物の根が貫通するのを防止し、根が人工地盤１の目地等の隙間に進入するのを防止するものである。なお、根留めシート２は必ずしも必要でなく、人工地盤１上に直接、保水排水基盤材１０，１０…を載置し、連結してもよい。
【００４０】
この根留めシート２の上部に保水排水基盤材１０，１０…を載置し、図１１に示すように水平方向に連結して配置する。外周の連結部１７のアリ突部１７ａをアリ溝部１７ｂに嵌合させて、縦横方向に順次連結し、緑化しようとするスペースを保水排水基盤材１０，１０…で覆う。保水排水基盤材１０，１０…は下面の対接突部１６が人工地盤１の表面に根留めシート２を挟んで対接し、排水空間が形成される。したがって、降雨時に排水は、この空間を利用して人工地盤１の排水勾配に沿って流れ、見切り材２０の排水溝部２８を通して排水されため、溜まり水による水の腐敗等を防止できる。
【００４１】
緑化しようとするスペースの人工地盤１上に保水排水基盤材１０を、縦方向と横方向に連結して載置したあと、外周部に位置する保水排水基盤材１０から突出している連結部１７を切断する。連結部１７はベースとなる正方形部からアリ突部１７ａと、アリ溝部１７ｂとを形成する発泡ポリスチレン樹脂部分が突出しているので、この突出部分を切断線２９ａに沿ってカッター等を用いて切断し、外周面を平坦とする。この切断は、正方形部の２辺に沿わせてカッターを移動するだけの操作で容易に切断できる。突出している連結部１７を切断して平坦とすることで、見切り材２０，２０Ａを連結できる状態となる。また、連結部１７が下方に隠れている２辺では、そのままの状態で見切り材２０，２０Ａを連結できる。保水排水基盤材１０は発泡樹脂製で、外周辺に沿って平行にカッター等を用いて自由に切断することができる。
【００４２】
このあと、連結された保水排水基盤材１０の外周辺に沿って見切り材２０、コーナー型見切り材２０Ａ、および必要に応じて嵩上げ材３０を固定する。図１３に示すように、見切り材２０の垂直面２５を保水排水基盤材１０の外周辺に対接させ、係合面２２を保水排水基盤材１０の上部に位置させ、上方から押圧すると、見切り材２０，２０Ａの係合面の下面から突出する円柱状の１つの係合突部２４が保水排水基盤材１０の上面から突出する４つの円柱状の突起部１３に囲まれた凹部に嵌合し垂直方向に連結され、見切り材２０では合計４個の係合突部２４が突起部１３の間に挟まれて保持され、コーナー型見切り材２０Ａでは合計３個の係合突部２４が突起部１３の間に挟まれて保持されるため、強固に固定される。
【００４３】
そして、見切り材２０、コーナー型見切り材２０Ａを連結された保水排水基盤材１０，１０…の全ての外周辺に固定すると、保水排水基盤材は外周が見切り材で囲まれ、保水排水基盤材の上部には植物を植栽する空間である凹部が形成される。２種類の見切り材２０，２０Ａの設置面２１は人工地盤１の根留めシート２上に対接する。見切り材２０，２０Ａも、端面に平行に自由に切断することができるため、保水排水基盤材１０の縦寸法、横寸法に合わせて切断することができる。
【００４４】
このように、保水排水基盤材１０に片側が乗せられた状態で見切り材２０，２０Ａが固定され、保水排水基盤材１０の突起部１３の間に見切り材２０，２０Ａの係合突部２４が嵌合するため固定状態が安定し、見切り材の上部に人が乗っても固定状態が離脱する虞が少ない。また、後工程で、保水排水基盤材１０，１０…の上部に土壌が投入されたとき、片乗り構造で見切り材２０や、コーナー型見切り材２０Ａが安定しているため、土圧で見切り材が外れる虞が少ない。
【００４５】
ついで、見切り材２０，２０Ａの上部に嵩上げ材３０が積み重ねられて連結される。見切り材２０や、コーナー型見切り材２０Ａの上部に形成された８個の連結凹部２３内に嵩上げ材３０の連結凸部３２が圧入状態に嵌合し、強固に連結することができるため外力が加わっても離脱しにくい。このように連結されると、見切り材の連結孔２６と嵩上げ材３０の貫通孔３３とは連通し、両方の孔を貫通するように軸状の連結具３５を挿入することができる。
【００４６】
連結具３５は連結孔２６および貫通孔３３が断面円形の場合は円柱状のものが好ましく、角孔の場合は角柱状が好ましい。連結具３５はどのような材料で形成してもよく、合成樹脂製、金属棒等、適宜のものを使用でき、必要に応じて接着剤で固定してもよく、圧入状態で挿入してもよい。また、連結具３５の長さは、２つの連結孔と貫通孔の接合部分で挿入されていれば短くてもよい。連結具３５を挿入することで、見切り材２０，２０Ａと嵩上げ材３０との結合は強固となり離脱が防止される。嵩上げ材３０は必要な高さだけ積み重ねることができる。嵩上げ材３０を複数段積み重ねるときには、連結具３５は全てに連通するように長いものを使用することが好ましい。
【００４７】
緑化しようとするスペース上に、連結された正方形状の保水排水基盤材１０，１０…が合致しない場合は、図１４に示すようにスペースに合わせて保水排水基盤材１０を水平方向の切断線２９ｂ、あるいは垂直方向の切断線２９ｃに沿って切断し、保水排水基盤材１０Ａとすることで所望のスペースに合わせることができる。保水排水基盤材１０を切断するときは、保水排水基盤材の上面から突出する突起部１３同士の中間を外周辺に沿って平行に切断する。平行に並んでいる２列の突起部１３の中心で切断すれば、どこの中心で切断しても上部に見切り材２０，２０Ａを嵌合させて固定することができる。このため縦方向、横方向に自由に切断することができ、緑化したいスペースに確実に合致させることができる。
【００４８】
この場合は、積み重ねられる見切り材２０，２０Ａは図１５に示すように切断され、連結された保水排水基盤材１０，１０…の外周辺に沿って、一部が保水排水基盤材上に乗った状態で固定される。すなわち、見切り材２０，２０Ａは、切断された保水排水基盤材１０Ａに合わせて長尺方向に直角に切断され、見切り材２０は見切り材２０Ｂのように短くされ、コーナー型見切り材２０Ａはコーナー型見切り材２０Ｃのように短くされる。このように、保水排水基盤材１０や見切り材２０、コーナー型見切り材２０Ａを、緑化したいスペースに合わせて自由に切断して任意の面積に設定することができる。
【００４９】
緑化しようとするスペース上に保水排水基盤材１０，１０…を水平方向に連結して載置し、保水排水基盤材の外周辺に沿って見切り材２０、コーナー型見切り材２０Ａを立ち上げて固定し外周を囲んだあと、中央凹部１４に導水用材１５を配置し、保水排水基盤材１０，１０…の上部を覆うように透水性シート３を敷設して、例えば釘等で保水排水基盤材や見切り材に固定する。透水性シート３は、この上に後工程で投入する土壌４の流出を防止し、透水力が十分にあり目詰まりしにくい不織布等が好ましい。なお、透水性シートは接着剤等により固定することもできる。
【００５０】
この透水性シート３は土壌４に植栽された植物の根が成長して絡み付くものが好ましい。透水性シートの材料としては、織布、不織布、樹脂繊維による網状物、複数の穴を配列した樹脂シート、金網のようなものが好適であるが、不織布は特に好ましい。透水性があって、植物の根と一体化するものが好ましい。透水性シート３は見切り材２０，２０Ａの部分を立ち上げて凹面２７に沿わせると、後工程で土壌を投入するとき透水性シートの裏側に土壌が進入せず作業が容易となる。透水性シート３は立ち上げ部分を釘等で見切り材に固定すると好ましい。
【００５１】
透水性シート３の上部に土壌４を載置、投入すると、透水性シート３は土壌４の重さで導水用材１５の上面と密着する。土壌４の投入は、保水排水基盤材の外周が見切り材で囲まれているため容易に行える。土壌４に植物５を植栽し、土壌４の表面に必要に応じて表層材６を載置する。表層材６は土壌４の最上層に敷設することにより、土壌の飛散、流出を防ぐものであり、乾燥防止、雑草抑制の他、微生物の活動を活性化させるものである。なお、植物を植栽するとき、透水性シート３は必要であるが、表層材６は必ずしも必要でない。
【００５２】
前記した作業、すなわち、保水排水基盤材１０を人工地盤１上に連結し、外周辺に沿って見切り材２０，２０Ａを連結固定し、透水性シート３を敷いてから土壌４を投入し、植物５を植栽して表層材６で覆うことにより、図１６に示す緑化構造物が完成する。土壌４としては土を使用してもよく、ポリスチレンフォームのリサイクル品を粉砕した人工土壌、クリンカーアッシュ、パーライト等を使用することもできる。
【００５３】
図示していない散水装置で供給された水を保水排水基盤材１０，１０…は保水用凹部１２に貯留して保水する。そして、保水排水基盤材１０の保水用凹部１２内に貯留された水は、中央凹部１４内に配置された多孔質の導水用材１５を毛細管現象で上昇し、透水性シート３および土壌４に徐々に供給され、土壌４の乾燥を防止し、植え付けられた植物の根から吸収されて生育に用いられる。このため、多量の水で植物の根が常時浸され根腐れすることが防止される。保水用凹部１２内の水は中心に向かう勾配により中央凹部１４に集められ、多孔質の導水用材１５を通して上昇して植物の根に吸収されるため、確実に植物に供給される。
【００５４】
導水用材として多孔質セラミック製の導水用材１５の例を示したが、紐、スポンジ、発泡性合成樹脂、織布、不織布等を使用し、水の表面張力を利用して透水性シート３に水を供給するものでもよい。透水性シート３は、植物の根が絡み付いて一体化する機能を有すると共に、土壌４が保水排水基盤材１０の保水用凹部１２内に入り込むのを防止して、透水性シート３と保水用凹部１２の水との間に空間を確保する機能を有する。これにより、植物５の根の呼吸は確保されて好ましい。また、透水性シート３は保水用凹部１２内の水が湿気となって植物５の根に効果的に到達するのを助けると共に、雨水や植物への散水が土壌４内に過剰に滞留するのを防止する機能をも有する。
【００５５】
このように、本実施形態の緑化構造物は、多数の保水排水基盤材１０，１０…を水平方向に連結し、連結された保水排水基盤材の外周辺に沿って上方に突出する見切り材２０やコーナー型見切り材２０Ａを固定しているため、外周部に植え付けられた植物５が周囲に広がることがなく、輪郭部を整然と区切ることができる。また、植物５が成長しても、見切り材で周囲を囲まれているため、根が外部に露出して美観を損ねることが少なく、見栄えを向上させることができる。さらに、保水排水基盤材１０，１０…と見切り材２０，２０Ａとの固定状態が安定して強固なため、外力が加わっても変形して外れることを防止できる。
【００５６】
つぎに、本発明の他の実施形態を図１７，１８に基づき詳細に説明する。図１７は本発明に係る人工地盤上で緑化する緑化構造物の他の実施形態の平面図、図１８は図１７のＧ−Ｇ線端面図である。なお、この実施形態は前記した実施形態に対し、見切り材で囲まれて画成された空間内を、嵩上げ材で分割することを特徴とする。そして、他の実質的に同等の構成については同じ符号を付して詳細な説明は省略する。
【００５７】
この実施形態では、連結された保水排水基盤材１０，１０…で画成された空間の中間部に、嵩上げ材３０Ａ，３０Ｂを、その下面に形成された連結凸部３２を保水排水基盤材１０の保水用凹部１２に嵌合させて固定し、画成された空間を分割して、２つの空間Ｓ１，Ｓ２としている。このように画成された空間を複数に分割することで、それぞれの空間に異なる種類の植物を植栽する等の変更が可能となり、趣向の異なる緑化構造物とすることができる。嵩上げ材３０Ａは、見切り材２０，２０Ａの上部に積み重ねられる嵩上げ材３０と同一のものであり、嵩上げ材３０Ｂは嵩上げ材３０Ａを長手方向と直角に切断して短く形成したものである。
【００５８】
嵩上げ材３０Ａの下面から突出する１つの連結凸部３２は、保水排水基盤材１０の保水用凹部１２内に突設された４つの突起部１３の間に嵌合して保持され、合計８個の連結凸部３２が突起部１３の間に嵌合して保持されるため、嵩上げ材３０Ａ，３０Ｂは保水排水基盤材１０の上部に安定して連結される。空間を分割して仕切るとき、投入される土壌の量により仕切り材として機能する嵩上げ材の高さが必要な場合は、複数段に積み重ねることができる。これにより、植栽される植物や投入される土壌を確実に仕切ることができる。積み重ねられた嵩上げ材３０Ａ，３０Ｂも、連結凹部３１内に形成された貫通孔３３を通して連結具３５を挿入して、見切り材との結合状態を強固にでき、見切り材２０，２０Ａや嵩上げ材３０，３０Ａ，３０Ｂに思わぬ力が加わっても保水排水基盤材１０からの離脱が防止できる。
【００５９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、保水排水基盤材１０の形状は正方形を基本とした例を示したが、長方形を基本とした形状でもよく、保水排水基盤材同士を連結できる形状であればどのような形状でもよい。保水排水基盤材は水平方向に連結する例を示したが、緩やかな傾斜面に沿って連結することもできる。
【００６０】
また、保水排水基盤材１０は、保水用凹部１２を有していればどのような形状であってもよい。保水排水基盤材１０は軽量性や断熱性の点から樹脂発泡体の一体成形品、特に成形性や強度の点から発泡ポリスチレンの成形品が好適であるが、設置の対象となる人工地盤が重量の制限を受けない場所であるときには、非発泡の合成樹脂、コンクリートや気泡モルタル等で製造したものでもよい。
【００６１】
見切り材２０，２０Ａと嵩上げ材３０との結合状態を強固にするため、見切り材に形成した連結孔２６と嵩上げ材３０に形成した貫通孔３３とは、連結凹部２３と連結凹部３１の中心に形成した例を示したが、これに限られるものでない。すなわち、見切り材２０，２０Ａの平坦部に連結孔を上下方向に形成し、この連結孔に連通するように嵩上げ材３０の平坦部に貫通孔を形成してもよい。また、連結孔２６はそれぞれの角部の４個の連結凹部に対して形成する例を示したが、８個の連結凹部全てに対応して形成してもよく、個数はいくつでもよい。
【００６２】
保水排水基盤材に、片乗り状態で固定される見切り材は、コーナー型見切り材と共に角部で直角に接合する例を示したが、直角に接合することに限られるものでない。例えば、コーナー部に位置する保水排水基盤材を面取りするように４５度の方向で切断し、４５度の傾斜辺に合わせて、図示していない４５度コーナー型の見切り材を用いて接合するように構成してもよい。また、４５度の傾斜辺に合わせて、図示していないアール型の見切り材を用いて円弧による接合で構成してもよい。さらに、出隅コーナー部に限らす、入隅コーナー部に対しても、同様に面取り、あるいはアール取りしてもよい。このように、見切り材は水平方向に連結された保水排水基盤材の外周辺に沿って上方に立ち上がるように突出すれば、形状は問わない。
【００６３】
保水排水基盤材と見切り材により画成された空間内で植物を植栽する例として、透水性シートと、土壌と、表層材を使用する例を示したが、他の方法で植物を植栽してもよい。例えば、土壌を使用せず、透水性シートと植物の生育に必要な養分等を含有させた植生シートを使用し、植物の根で透水性シートと植生シートを一体化させて、植物を育成させるようにしてもよい。
【図面の簡単な説明】
【００６４】
【図１】本発明に係る緑化構造物で使用する保水排水基盤材の一実施形態を示し、（ａ）は平面図、（ｂ）は右側面図、（ｃ）はＡ−Ａ線断面図、（ｄ）はＢ−Ｂ線断面図、（ｅ）はＣ−Ｃ線断面図。
【図２】図１に示す保水排水基盤材の背面図。
【図３】図１，２に示す保水排水基盤材の斜視図であり、（ａ）は導水用材との位置関係を示す上方から見た斜視図、（ｂ）は下方から見た斜視図。
【図４】（ａ）、（ｂ）はそれぞれ見切り材の上方および下方から見た斜視図。
【図５】（ａ）〜（ｄ）はそれぞれ図４に示す見切り材の平面図、側面図、正面図、Ｄ−Ｄ線断面図。
【図６】図１に示す保水排水基盤材と図４，５に示す見切り材との嵌合状態を示す斜視図。
【図７】（ａ）、（ｂ）はそれぞれコーナー型見切り材の上方および下方から見た斜視図。
【図８】（ａ）〜（ｄ）はそれぞれ図７に示すコーナー型見切り材の平面図、右側面図、正面図、Ｅ−Ｅ線断面図。
【図９】嵩上げ材の上方および下方から見た斜視図。
【図１０】（ａ）、（ｂ）はそれぞれ図９に示す嵩上げ材の平面図、Ｆ−Ｆ線断面図。
【図１１】図１に示す保水排水基盤材を水平方向に連結した状態の平面図。
【図１２】図１１に示す保水排水基盤材に見切り材を固定した状態の平面図。
【図１３】（ａ）、（ｂ）はそれぞれ図１２の見切り材と嵩上げ材を固定する動作状態を示す要部断面図、（ｃ）は嵌合状態を説明する要部平面図。
【図１４】図１１の平面図に対して面積を狭めた状態の平面図。
【図１５】図１４に示す保水排水基盤材に見切り材を固定した状態の平面図。
【図１６】保水排水基盤材と見切り材とを固定し、保水排水基盤材の上部に透水性シートを固定し、土壌を投入し、表層材を配置して植物を植栽した緑化構造物の断面図。
【図１７】本発明に係る緑化構造物の他の実施形態を示す平面図。
【図１８】図１７のＧ−Ｇ線端面図。
【符号の説明】
【００６５】
１：人工地盤、２：根留めシート、３：透水性シート、４：土壌、５：植物、６：表層材、１０：保水排水基盤材、１１：外周壁部、１２：保水用凹部、１３：突起部、１４：中央凹部、１５：導水用材、１７：連結部、１７ａ：アリ突部、１７ｂ：アリ溝部、２０，２０Ｂ：見切り材、２０Ａ，２０Ｃ：コーナー型見切り材、２１：設置面、２２：係合面、２３：連結凹部、２４：係合突部、２６：連結孔、３０，３０Ａ，３０Ｂ：嵩上げ材、３１：連結凹部、３２：連結凸部、３３：貫通孔、３５：連結具
【図１】
2006094826.tif 000003
【図２】
2006094826.tif 000004
【図３】
2006094826.tif 000005
【図４】
2006094826.tif 000006
【図５】
2006094826.tif 000007
【図６】
2006094826.tif 000008
【図７】
2006094826.tif 000009
【図８】
2006094826.tif 000010
【図９】
2006094826.tif 000011
【図１０】
2006094826.tif 000012
【図１１】
2006094826.tif 000013
【図１２】
2006094826.tif 000014
【図１３】
2006094826.tif 000015
【図１４】
2006094826.tif 000016
【図１５】
2006094826.tif 000017
【図１６】
2006094826.tif 000018
【図１７】
2006094826.tif 000019
【図１８】
2006094826.tif 000020